(57)【要約】【課題】器具本体の形状を変更することなく、適合するポールの種類を増やすことができる照明器具を提供することにある。【解決手段】照明器具１００は、ポールＰに装着される。照明器具１００は、器具本体１０と、アダプター２０と、ポール取付具３０とを備える。アダプター２０は、筒状部２４を有する。筒状部２４は、ポール装着孔２２を規定する。ポール装着孔２２は、ポールＰが装着される。ポール取付具３０は、第１挿入部３１４および第２挿入部３２４を有する。第１挿入部３１４は、第１挿入孔３１２を規定する。第２挿入部３２４は、第２挿入孔３２２を規定する。第２挿入孔３２２は、第１挿入孔３１２の内径ｄ３よりも大きい内径ｄ５を有する。筒状部２４は、少なくとも一部が第２挿入孔３２２の内側に配置される。照明器具１００は、アダプター２０とポール取付具３０とを介して器具本体１０がポールＰに取り付けられている。【選択図】図５
2018160374.tif 000002
【特許請求の範囲】
【請求項１】
ポールに装着される照明器具であって、
器具本体と、
前記ポールが装着されるポール装着孔を規定する筒状部を有するアダプターと、
第１挿入孔を規定する第１挿入部および第２挿入孔を規定する第２挿入部を有するポール取付具と
を備え、
前記第２挿入孔は、前記第１挿入孔に接続して前記第１挿入孔の内径よりも大きい内径を有し、
前記筒状部は、少なくとも一部が前記第２挿入孔の内側に配置され、
前記アダプターと前記ポール取付具とを介して前記器具本体が前記ポールに取り付けられている、照明器具。
【請求項２】
前記アダプターのうち前記第２挿入孔の内側に位置する最大外径は、前記第１挿入孔の内径よりも大きい、請求項１に記載の照明器具。
【請求項３】
前記ポール装着孔の内径は、前記第１挿入孔の内径よりも小さい、請求項１または請求項２に記載の照明器具。
【請求項４】
前記第１挿入孔の中心と、前記第２挿入孔の中心とは一致する、請求項１から請求項３のいずれか１項に記載の照明器具。
【請求項５】
前記アダプターは、前記ポール取付具とは独立した部品である、請求項１から請求項４のいずれか１項に記載の照明器具。
【請求項６】
前記器具本体は、前記ポール取付具に取り付けられる光源部を有し、
前記ポール取付具と前記アダプターとは非断熱部材であり、
前記ポール取付具と前記アダプターとは接触している、請求項１から請求項５のいずれか１項に記載の照明器具。
【請求項７】
ポールに装着される照明器具に備えられるアダプターであって、
前記照明器具は、器具本体と、第１挿入孔を規定する第１挿入部および前記第１挿入孔に接続して前記第１挿入孔の内径よりも大きい内径を有する第２挿入孔を規定する第２挿入部を有するポール取付具とを備え、
前記アダプターは、少なくとも一部が前記第２挿入孔の内側に配置され、前記ポール取付具とともに前記器具本体を前記ポールに取り付けられ、
前記アダプターは、前記ポールが装着されるポール装着孔を規定する筒状部を有する、アダプター。
【発明の詳細な説明】
【技術分野】
【０００１】
本発明は、照明器具およびアダプターに関する。
【背景技術】
【０００２】
地面から立設されるポールの先端に取り付けられる照明器具が知られている（例えば、特許文献１）。特許文献１に記載の照明器具は、大ポール用取付部と、小ポール用取付部とを有するホルダを備える。したがって、特許文献１に記載の照明器具は、大きい外径のポールと、小さい外径のポールとの２種類の外径のポールに取り付けることができる。
【先行技術文献】
【特許文献】
【０００３】
【特許文献１】特開平１１−２８８６１５号公報
【発明の概要】
【発明が解決しようとする課題】
【０００４】
しかしながら、特許文献１に記載の照明器具では、２種類の外径のポールにしか取り付けることができない。すなわち、適合するポールの種類が少ない。したがって、適合するポールと異なる外径のポールに取り付ける場合、ポールの外径に応じて、器具本体の形状を変更する必要がある。
【０００５】
本発明は上記課題に鑑みてなされたものであり、その目的は、器具本体の形状を変更することなく、適合するポールの種類を増やすことができる照明器具およびアダプターを提供することにある。
【課題を解決するための手段】
【０００６】
本願に開示する照明器具は、ポールに装着される。前記照明器具は、器具本体と、アダプターと、ポール取付具とを備える。前記アダプターは、筒状部を有する。前記筒状部は、ポール装着孔を規定する。前記ポール装着孔は、前記ポールが装着される。前記ポール取付具は、第１挿入部および第２挿入部を有する。前記第１挿入部は、第１挿入孔を規定する。前記第２挿入部は、第２挿入孔を規定する。前記第２挿入孔は、前記第１挿入孔に接続する。前記第２挿入孔は、前記第１挿入孔の内径よりも大きい内径を有する。前記筒状部は、少なくとも一部が前記第２挿入孔の内側に配置される。前記照明器具は、前記アダプターと前記ポール取付具とを介して前記器具本体が前記ポールに取り付けられている。
【０００７】
本願に開示する照明器具において、前記アダプターのうち前記第２挿入孔の内側に位置する最大外径は、前記第１挿入孔の内径よりも大きいことが好ましい。
【０００８】
本願に開示する照明器具において、前記ポール装着孔の内径は、前記第１挿入孔の内径よりも小さいことが好ましい。
【０００９】
本願に開示する照明器具において、前記第１挿入孔の中心と、前記第２挿入孔の中心とは一致することが好ましい。
【００１０】
本願に開示する照明器具において、前記アダプターは、前記ポール取付具とは独立した部品であることが好ましい。
【００１１】
本願に開示する照明器具において、前記器具本体は、光源部を有することが好ましい。前記光源部は、前記ポール取付具に取り付けられることが好ましい。前記ポール取付具と前記アダプターとは非断熱部材であることが好ましい。前記ポール取付具と前記アダプターとは接触していることが好ましい。
【００１２】
本願に開示するアダプターは、ポールに装着される照明器具に備えられるアダプターである。前記照明器具は、器具本体と、ポール取付具とを備える。前記ポール取付具は、第１挿入部および第２挿入部を有する。前記第１挿入部は、第１挿入孔を規定する。前記第２挿入部は、第２挿入孔を規定する。前記第２挿入孔は、前記第１挿入孔に接続する。前記第２挿入孔は、前記第１挿入孔の内径よりも大きい内径を有する。前記アダプターは、少なくとも一部が前記第２挿入孔の内側に配置され、前記ポール取付具とともに前記器具本体を前記ポールに取り付けられる。前記アダプターは、前記ポールが装着されるポール装着孔を規定する筒状部を有する。
【発明の効果】
【００１３】
本発明によれば、器具本体の形状を変更することなく、適合するポールの種類を増やすことができる。
【図面の簡単な説明】
【００１４】
【図１】本発明の実施形態に係る照明器具の模式図である。
【図２】本発明の実施形態に係る照明器具の側面図である。
【図３】図２のＩＩＩ−ＩＩＩ線に沿った断面図である。
【図４】（ａ）は、アダプターの上方から見た斜視図である。（ｂ）は、アダプターの下方から見た斜視図である。
【図５】図２に示した照明器具のアダプターとポール取付具との近傍を拡大した断面図である。
【図６】図２に示した照明器具のアダプターとポール取付具との近傍を拡大した断面図である。
【図７】本発明の実施形態に係る照明器具のポールへの取付方法を示す斜視図である。
【図８】本発明の実施形態に係る照明器具のポールへの取付方法を示す斜視図である。
【図９】本発明の実施形態に係る照明器具のポールへの取付方法を示す斜視図である。
【図１０】本発明の実施形態に係る照明器具の断面図である。
【図１１】本発明の実施形態に係る照明器具の断面図である。
【発明を実施するための形態】
【００１５】
以下、本発明の実施形態について、図面を参照しながら説明する。なお、図中、同一または相当部分については同一の参照符号を付して説明を繰り返さない。
【００１６】
図１を参照して、本発明の実施形態に係る照明器具１００について説明する。図１は、本発明の実施形態に係る照明器具１００の模式図である。また、本明細書において、三次元直交座標系のＸ軸およびＹ軸は水平線に平行であり、Ｚ軸は鉛直線に平行である。Ｚ軸の正方向は、重力方向と反対方向であり、上方向を示し、Ｚ軸の負方向は、重力方向であり、下方向を示す。
【００１７】
図１に示すように、照明器具１００は、器具本体１０と、アダプター２０と、ポール取付具３０とを備える。照明器具１００は、例えば、公園またはロータリーに設置されるポールＰに取り付けられる。照明器具１００は、例えば、ポール灯に用いられる。ポールＰは、例えば、中空状である。ポールＰは、例えば、円筒形状である。ただし、ポールＰは、少なくともアダプター２０を装着できれば、円筒形状に限らない。ポールＰは、例えば、地面から立設される。ポールＰは、鉛直方向（Ｚ方向）に延びている。照明器具１００は、アダプター２０とポール取付具３０とを介して器具本体１０がポールＰに取り付けられている。その結果、照明器具１００は、ポールＰに装着される。照明器具１００では、器具本体１０の形状を変更することなく、アダプター２０の形状を変更することによって、適合するポールＰの種類を増やすことができる。したがって、費用がかかることを抑制しつつ適合するポールＰの種類を増やすことができる。
【００１８】
器具本体１０は、光源部４０を有する。光源部４０は、ポール取付具３０に取り付けられる。光源部４０には、光源４２が取り付けられる。光源部４０は、例えば、ソケットである。光源４２は、例えば、ＬＥＤランプまたはＨＩＤ（Ｈｉｇｈ−Ｉｎｔｅｎｓｉｔｙ  Ｄｉｓｃｈａｒｇｅ）ランプである。
【００１９】
図２〜図６を参照して、本発明の実施形態に係る照明器具１００についてさらに説明する。図２は、本発明の実施形態に係る照明器具１００の側面図である。図３は、図２のＩＩＩ−ＩＩＩ線に沿った断面図である。図４（ａ）は、アダプター２０の上方から見た斜視図である。図４（ｂ）は、アダプター２０の下方から見た斜視図である。図５および図６は、図２に示した照明器具１００のアダプター２０とポール取付具３０との近傍を拡大した断面図である。図３において光源４２の図示は省略している。図６において、外径ｄ１は、ポールＰの外径を示す。内径ｄ２は、ポール装着孔２２の内径を示す。内径ｄ３は、第１挿入孔３１２の内径を示す。最大外径ｄ４は、アダプター２０のうち第２挿入孔３２２の内側に位置する最大外径である。内径ｄ５は、第２挿入孔３２２の内径である。最小内径ｄ６は、開口２９の最小内径である。
【００２０】
図２および図３に示すように、照明器具１００は、器具本体１０と、アダプター２０と、ポール取付具３０とに加えて、さらに、アダプター固定具６２と、ポール取付具固定具６４とを備える。
【００２１】
図３に示すように、器具本体１０は、光源部４０に加えて、さらに、グローブ１２と、グローブ押え部材１４と、固定部材１６と、緩衝部材１８と、緩衝部材１９と、電源部５０とを有する。
【００２２】
グローブ１２は、例えば、球状である。グローブ１２は、例えば、透明である。グローブ１２は、例えば、樹脂で形成されている。
【００２３】
グローブ押え部材１４は、中空開口形状のグローブ１２を内側から押える部材である。グローブ押え部材１４は、例えば、金属で形成されている。グローブ押え部材１４は、固定部材１６によってポール取付具３０に固定される。グローブ押え部材１４がポール取付具３０に固定されることによって、グローブ１２がグローブ押え部材１４とポール取付具３０とによって挟まれる。その結果、グローブ１２がポール取付具３０に取り付けられる。
【００２４】
緩衝部材１８は、グローブ押え部材１４とグローブ１２との間に配置される。緩衝部材１８は、例えば、シリコーンゴムである。グローブ押え部材１４が金属製でありグローブ１２が樹脂製であるため、グローブ押え部材１４とグローブ１２とが接している状態で振動等が加わると、グローブ１２が割れる可能性がある。しかしながら、緩衝部材１８がグローブ押え部材１４とグローブ１２との間に配置されているため、緩衝部材１８がグローブ押え部材１４とグローブ１２とが接することを抑制し、グローブ１２が割れることを抑制することができる。
【００２５】
緩衝部材１９は、グローブ１２とポール取付具３０との間に配置される。緩衝部材１９は、例えば、シリコーンゴムである。ポール取付具３０が金属製でありグローブ１２が樹脂製であるため、ポール取付具３０とグローブ１２とが接している状態で振動等が加わると、グローブ１２が割れる可能性がある。しかしながら、緩衝部材１９がグローブ１２とポール取付具３０との間に配置されているため、緩衝部材１９がポール取付具３０とグローブ１２とが接することを抑制し、グローブ１２が割れることを抑制することができる。さらに、緩衝部材１９がグローブ１２とポール取付具３０との間に配置されているため、緩衝部材１９によってグローブ１２とポール取付具３０との隙間から雨水などがグローブ１２内に入るのを抑制することができる。
【００２６】
アダプター２０は、非断熱部材、すなわち、伝熱性の高い材料で形成されていることが好ましい。アダプター２０は、例えば、金属で形成されている。
【００２７】
ポール取付具３０は、器具本体１０を支持する。ポール取付具３０は、非断熱部材、すなわち、伝熱性の高い材料で形成されていることが好ましい。ポール取付具３０は、例えば、金属で形成されている。
【００２８】
光源部４０は、ポール取付具３０に取り付けられている。さらに、アダプター２０とポール取付具３０とは非断熱部材である。また、ポール取付具３０と、アダプター２０とは接触している。したがって、光源部４０は、アダプター２０と熱的に接続されている。その結果、光源部４０で発生した熱をアダプター２０によって放熱し放熱性を向上させることができる。
【００２９】
電源部５０は、光源部４０に取り付けられている。電源部５０は、光源部４０に電力を供給する。
【００３０】
アダプター固定具６２は、ポールＰに対してアダプター２０を固定する。本実施形態では、アダプター固定具６２の個数は３つである。
【００３１】
ポール取付具固定具６４は、ポールＰまたはアダプター２０に対してポール取付具３０を固定する。本実施形態では、ポール取付具固定具６４は、アダプター２０に対してポール取付具３０を固定している。本実施形態では、ポール取付具固定具６４の個数は３つである。
【００３２】
照明器具１００では、アダプター固定具６２によってポールＰに対してアダプター２０が固定され、ポール取付具固定具６４によってポール取付具３０がアダプター２０に固定される。したがって、器具本体１０は、アダプター２０とポール取付具３０とを介してポールＰに取り付けられている。
【００３３】
図４を参照して、アダプター２０について説明する。図４（ａ）および図４（ｂ）に示すように、アダプター２０は、筒状部２４と、鍔部２６とを有する。
【００３４】
筒状部２４は、例えば、円筒状である。筒状部２４は、ポールＰが装着されるポール装着孔２２を規定する。筒状部２４には、固定具孔２８が形成されている。固定具孔２８は、アダプター固定具６２が通過可能である。固定具孔２８は、例えば、ネジ孔である。
【００３５】
鍔部２６は、円環状である。鍔部２６によって開口２９が規定されている。開口２９は、円の一部が３方向に突出した形状を有している。したがって、開口２９は、最小内径ｄ６と、最大内径ｄ７とを有する。鍔部２６は、筒状部２４から筒状部２４の径方向に突出している。鍔部２６は、外側突出部２６２と、内側突出部２６４とを有する。外側突出部２６２は、筒状部２４に対して筒状部２４の径方向の外側に向けて突出している。内側突出部２６４は、筒状部２４に対して筒状部２４の径方向の内側に向けて突出している。
【００３６】
アダプター固定具６２は、例えば、ネジである。アダプター固定具６２は、ボルト６２２と、ナット６２４とを有する。
【００３７】
図５に示すように、ポール取付具３０は、第１挿入部３１４と、第２挿入部３２４と、鍔部３３２とを有する。
【００３８】
第１挿入部３１４は、第１挿入孔３１２を規定する。第１挿入部３１４は、円筒状である。アダプター２０を取り外した場合、第１挿入部３１４には、ポールＰよりも外径の大きいポールを挿入することが可能である。
【００３９】
第２挿入部３２４は、第２挿入孔３２２を規定する。第２挿入孔３２２は、第１挿入孔３１２に接続する。第２挿入孔３２２の内径ｄ５は、第１挿入孔３１２の内径ｄ３よりも大きい（図６参照）。したがって、アダプター２０を取り外した場合、第２挿入部３２４には、第１挿入部３１４よりも、さらに外径の大きいポールを挿入することが可能である。第２挿入部３２４には、固定具孔３２６が形成されている。固定具孔３２６には、ポール取付具固定具６４が通過可能である。固定具孔３２６は、例えば、ネジ孔である。
【００４０】
鍔部３３２は、第１挿入部３１４から第１挿入部３１４の径方向に突出する。鍔部３３２は、グローブ１２とグローブ押え部材１４とを支持する。
【００４１】
アダプター２０のうち第２挿入孔３２２の内側に位置する最大外径ｄ４は、第１挿入孔３１２の内径ｄ３よりも大きい。本実施形態では、最大外径ｄ４は、鍔部２６の外径に等しい（図６参照）。したがって、アダプター２０を第２挿入孔３２２に挿入した場合、アダプター２０と第１挿入部３１４の下端部３１６とが当接する。詳しくは、鍔部２６の外側突出部２６２と、第１挿入部３１４の下端部３１６とが当接する。その結果、ポール取付具３０がアダプター２０に対して取付位置に配置される。
【００４２】
ポール取付具３０がアダプター２０に対して取付位置に配置された状態で、ポール取付具固定具６４によって、アダプター２０に対してポール取付具３０が固定される。詳しくは、ポール取付具固定具６４を固定具孔３２６に螺合することによって、アダプター２０に対してポール取付具３０が固定される。より詳しくは、ボルト６４２を固定具孔３２６に螺合することによって、ボルト６４２の先端がアダプター２０の周面を押圧し、ナット６４４がポール取付具３０を押圧し、アダプター２０に対してポール取付具３０が固定される。
【００４３】
ポール装着孔２２の内径ｄ２は、ポールＰの外径ｄ１よりも大きい（図６参照）。したがって、ポールＰをアダプター２０に挿入することができる。また、開口２９の最小内径ｄ６は、ポールＰの外径ｄ１よりも小さい。したがって、アダプター２０をポールＰに挿入した場合、ポールＰがアダプター２０を貫通せずに、アダプター２０とポールＰの上端部とが当接する。詳しくは、鍔部２６の内側突出部２６４とポールＰの上端部とが当接する。その結果、アダプター２０がポールＰに対して取付位置に配置される。
【００４４】
アダプター２０がポールＰに対して取付位置に配置された状態で、アダプター固定具６２によって、ポールＰに対してアダプター２０が固定される。詳しくは、アダプター固定具６２を固定具孔２８に螺合することによって、ポールＰに対してアダプター２０が固定される。より詳しくは、ボルト６２２を固定具孔２８に螺号することによって、ボルト６２２の先端がポールＰの周面を押圧し、ナット６２４がアダプター２０の周面を押圧し、ポールＰに対してアダプター２０が固定される。
【００４５】
アダプター２０の筒状部２４は、少なくとも一部が第２挿入孔３２２の内側に配置される。したがって、ポール取付具３０とアダプター２０とを合わせたＺ軸方向の高さを低くすることができる。
【００４６】
ポール装着孔２２の内径ｄ２は、第１挿入孔３１２の内径ｄ３よりも小さい（図６参照）。したがって、ポール装着孔２２の内径ｄ２よりも小さい外径を有するポールＰに対しても、照明器具１００を装着させることができる。
【００４７】
第１挿入孔３１２の中心と、第２挿入孔３２２の中心と、アダプター２０の中心と、ポールＰの中心とは一致する。すなわち、第１挿入孔３１２の中心と、第２挿入孔３２２の中心と、アダプター２０の中心と、ポールＰの中心とは、中心線ＣＬ上に位置する。したがって、アダプター２０とポール取付具３０とを介して器具本体１０をポールＰにバランス良く取り付けることができる。
【００４８】
鍔部２６によって規定される開口２９は、ポール装着孔２２と連結している。したがって、電源部５０を開口２９を通過させて、ポール装着孔２２にまで挿入して配置させることができる。したがって、ポール取付具３０とアダプター２０とを合わせたＺ軸方向の高さを低くすることができる。
【００４９】
以上、図１〜図６を参照して説明したように、照明器具１００では、アダプター２０とポール取付具３０とを介して器具本体１０がポールＰに取り付けられている。その結果、照明器具１００は、ポールＰに装着される。照明器具１００では、器具本体１０の形状を変更することなく、アダプター２０の形状を変更することによって、適合するポールＰの種類を増やすことができる。したがって、費用がかかることを抑制しつつ適合するポールＰの種類を増やすことができる。
【００５０】
また、照明器具１００では、筒状部２４は、少なくとも一部が第２挿入孔３２２の内側に配置される。したがって、適合するポールＰの数を増やしたとしてもポール取付具３０の高さを高くする必要がない。その結果、照明器具１００の大型化を抑制することができる。また、地面から器具本体１０までの高さが高くなることを抑制することができる。
【００５１】
また、照明器具１００では、筒状部２４は、少なくとも一部が第２挿入孔３２２の内側に配置される。したがって、照明器具１００の高さが高くなることを抑制し、風によって圧力を受ける面積を抑制することができる。その結果、強風時においても、風によってポールＰにかかる負荷を軽減することができる。
【００５２】
図７〜図９を参照して、本発明の実施形態に係る照明器具１００のポールＰへの取付方法について説明する。図７〜図９は、本発明の実施形態に係る照明器具１００のポールＰへの取付方法を示す斜視図である。図７〜図９は、ポール取付具３０の近傍を下方から見た斜視図である。図７〜図９では、器具本体１０を省略している。また、図９では、ポールＰを一部省略している。
【００５３】
まず、図７に示した状態から、図８に示すように、ポール取付具固定具６４によって、アダプター２０に対してポール取付具３０が固定される。そして、図９に示すように、アダプター固定具６２によって、ポールＰに対してアダプター２０が固定される。
【００５４】
以上、図７〜図９を参照して説明したように、照明器具１００は、アダプター２０とポール取付具３０とによって、器具本体１０をポールＰに取り付ける。
【００５５】
アダプター２０は、ポール取付具３０とは独立した部品であることが好ましい。すなわち、アダプター２０は、ポール取付具３０から取り外し可能であることが好ましい。照明器具１００は、アダプター２０を取り外すことによって、異なる外径のポールにも照明器具１００を取り付けることができる。
【００５６】
図１０および図１１を参照して、本発明の実施形態に係る照明器具１００の別のポールへの取り付け方法について説明する。図７〜図９を参照して説明した照明器具１００のポールＰへの取り付け方法とは、アダプター２０を介さずに照明器具１００を取り付ける点で異なる。図１０および図１１は本発明の実施形態に係る照明器具１００の断面図である。図１０および図１１において、アダプター２０とアダプター固定具６２とは取り外されている。アダプター２０とアダプター固定具６２とが取り外されている点を除いて、図３に示した照明器具１００と同様な構成を有するため、重複部分については説明を省略する。
【００５７】
図１０に示すように、照明器具１００は、ポールＰ１に取り付けられる。ポールＰ１の外径は、図３に示すポールＰの外径よりも大きい。照明器具１００では、ポールＰ１は、第２挿入孔３２２を通過し、第１挿入孔３１２に挿入される。
【００５８】
ポールＰ１の上端部と、第１挿入部３１４の上端部とが当接することによって、ポール取付具３０がポールＰ１に対して取付位置に配置される。ポール取付具３０がポールＰ１に対して取付位置に配置された状態で、ポール取付具固定具６４によって、ポールＰ１に対してポール取付具３０が固定される。
【００５９】
また、図１１に示すように、照明器具１００は、ポールＰ２に取り付けられる。ポールＰ２の外径は、図３に示すポールＰの外径と、図１０に示すポールＰ１の外径よりも大きい。照明器具１００では、ポールＰ２は、第２挿入孔３２２に挿入される。
【００６０】
ポールＰ２の上端部と、第１挿入部３１４の下端部３１６とが当接することによって、ポール取付具３０がポールＰ２に対して取付位置に配置される。ポール取付具３０がポールＰ２に対して取付位置に配置された状態で、ポール取付具固定具６４によって、ポールＰ２に対してポール取付具３０が固定される。本実施形態では、図３に示したアダプター２０を用いて照明器具１００をポールＰに取り付ける場合と、ポールＰ２に対する器具本体１０の高さの位置が大きく変わらない。したがって、照明の設計が容易になる。
【００６１】
以上、図１０および図１１を参照して説明したように、アダプター２０は、ポール取付具３０とは独立した部品である。このため、照明器具１００は、アダプター２０を取り外すことによっても、異なる外径のポールに照明器具１００を取り付けることができる。したがって、アダプター２０を取り外した場合、照明器具１００の重さを軽くすることができ、ポールにかかる負荷を軽減することができる。
【００６２】
以上、図面（図１〜図１１）を参照しながら本発明の実施形態を説明した。但し、本発明は、上記の実施形態に限られるものではなく、その要旨を逸脱しない範囲で種々の態様において実施することが可能である（例えば、下記に示す（１）〜（５））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００６３】
（１）図１〜図９を参照して説明したように、照明器具１００では、アダプター２０が鍔部２６を有していたが、本発明はこれに限定されない。例えば、アダプター２０は、鍔部２６を有しなくてもよい。
【００６４】
（２）図１〜図９を参照して説明したように、照明器具１００では、アダプター２０は、一部が第２挿入孔３２２の外側に配置されていたが、本発明はこれに限定されない。例えば、アダプター２０の全てが、第２挿入孔３２２の内側に配置されてもよい。
【００６５】
（３）図１〜図９を参照して説明したように、照明器具１００では、アダプター固定具６２の個数は３つであったが、本発明はこれに限定されない。例えば、ポールＰに対してアダプター２０が固定し得る限り、アダプター固定具６２の個数は、１つ、２つまたは４つ以上でもよい。
【００６６】
（４）図１〜図１１を参照して説明したように、照明器具１００では、ポール取付具固定具６４の個数は３つであったが、本発明はこれに限定されない。例えば、ポールＰまたはアダプター２０に対してアダプター２０が固定し得る限り、ポール取付具固定具６４の個数は、１つ、２つまたは４つ以上でもよい。
【００６７】
（５）図１〜図９を参照して説明したように、照明器具１００では、ポールＰの外径は一定であったが、本発明はこれに限定されない。ポールＰの外径が変動してもよい。この場合、第２挿入孔３２２の内径がわずかに変化してもよい。例えば、ポールＰの挿入方向の下流側に向かって（上方向に向かって）、第２挿入孔３２２の内径が小さくなるようにしてもよい。
【符号の説明】
【００６８】
１０    器具本体
２０    アダプター
２２    ポール装着孔
２４    筒状部
２６    鍔部
２８    固定具孔
２９    開口
３０    ポール取付具
４０    光源部
６２    アダプター固定具
６４    ポール取付具固定具
１００  照明器具
３１２  第１挿入孔
３１４  第１挿入部
３２２  第２挿入孔
３２４  第２挿入部
３２６  固定具孔
Ｐ      ポール
ｄ１    外径
ｄ２    内径
ｄ３    内径
ｄ４    最大外径
ｄ５    内径
ｄ６    最小外径
ｄ７    最大外径
【図１】
2018160374.tif 000003
【図２】
2018160374.tif 000004
【図３】
2018160374.tif 000005
【図４】
2018160374.tif 000006
【図５】
2018160374.tif 000007
【図６】
2018160374.tif 000008
【図７】
2018160374.tif 000009
【図８】
2018160374.tif 000010
【図９】
2018160374.tif 000011
【図１０】
2018160374.tif 000012
【図１１】
2018160374.tif 000013